(57)【要約】【課題】本発明は、歪抵抗素子の抵抗値が変化しやすく、重量センサから発生する出力信号の感度を大きくすることができる重量センサを提供することを目的とするものである。【解決手段】この目的を達成するために、本発明の重量センサは、起歪体１１における筒部１１ａを押圧する押圧部材３２を起歪体１１の長手方向に移動させることにより起歪体１１における連接部２２から筒部１１ａに対してモーメント力が作用するように構成したものである。【選択図】図１
2010091453.tif 000002
【特許請求の範囲】
【請求項１】
外表面に歪抵抗素子とこの歪抵抗素子と回路パターンにより電気的に接続された電極とを設けた筒部とこの筒部の内側面から内方に向かって設けた連接部と被挟持部とからなる固定部とを設けた起歪体と、この起歪体における被挟持部を挟持して固定する固定部材と、前記起歪体における筒部を押圧する押圧部材と、前記起歪体における歪抵抗素子からの出力信号を処理する処理回路を設けたケースとを備え、前記押圧部材を起歪体の長手方向に移動させることにより起歪体における連接部から筒部に対してモーメント力が作用するように構成した重量センサ。
【発明の詳細な説明】
【技術分野】
【０００１】
本発明は、車両用シート等の荷重を測定するための重量センサに関するものである。
【背景技術】
【０００２】
従来のこの種の重量センサは、図１０〜図１２に示すように構成されていた。
【０００３】
図１０は従来の重量センサの斜視図、図１１は同重量センサにおける起歪体の展開図、図１２は同重量センサの回路図である。
【０００４】
図１０〜図１２において、１は円筒形状の起歪体で、この起歪体１の外側面には、一対の横方向歪抵抗素子２および一対の縦方向歪抵抗素子３を設けている。また、前記起歪体１の外側面には、前記横方向歪抵抗素子２および縦方向歪抵抗素子３と電源電極４、ＧＮＤ電極５および出力電極６とを回路パターン７で電気的に接続することにより構成された図１１に示すようなブリッジ回路を備えているものである。
【０００５】
以上のように構成された従来の重量センサについて、次に、その動作を説明する。
【０００６】
図１３に示すように、まず、従来の重量センサを上下の相手側取付部材８により挟持する。そして、この状態で、押圧部材９に荷重がかかり、円筒形状の起歪体１に、軸方向と平行な方向に圧縮力が作用すると、一対の縦方向歪抵抗素子３の抵抗値が小さくなるとともに、一対の横方向歪抵抗素子２の抵抗値が大きくなる。そして、この一対の縦方向歪抵抗素子３および一対の横方向歪抵抗素子２は、電源電極４、ＧＮＤ電極５、出力電極６および回路パターン７でブリッジ回路を構成しているため、出力電極６から起歪体１に作用する圧縮力に応じて出力信号を出力するものである。そして、この出力信号は、前記電源電極４、ＧＮＤ電極５および出力電極６と電気的に接続されたリード線（図示せず）により外部回路（図示せず）に出力され、重量センサに負荷される荷重を電気信号として出力するものであった。
【０００７】
なお、この出願の発明に関する先行技術文献情報としては、例えば、特許文献１が知られている。
【特許文献１】特開平６−２０７８６６号公報
【発明の開示】
【発明が解決しようとする課題】
【０００８】
しかしながら、上記した従来の構成においては、円筒形状からなる起歪体１に軸方向と平行な方向に圧縮力を作用させているため、起歪体１自体が変形の抵抗となって、一対の横方向歪抵抗素子２および一対の縦方向歪抵抗素子３の抵抗値が変化しにくくなり、その結果、重量センサから発生する出力信号の感度が小さくなってしまうという課題を有していた。
【０００９】
本発明は上記従来の課題を解決するもので、歪抵抗素子の抵抗値が変化しやすく、重量センサから発生する出力信号の感度を大きくすることができる重量センサを提供することを目的とするものである。
【課題を解決するための手段】
【００１０】
上記目的を達成するために、本発明は以下の構成を有するものである。
【００１１】
本発明の請求項１に記載の発明は、外表面に歪抵抗素子とこの歪抵抗素子と回路パターンにより電気的に接続された電極とを設けた筒部とこの筒部の内側面から内方に向かって設けた連接部と被挟持部とからなる固定部とを設けた起歪体と、この起歪体における被挟持部を挟持して固定する固定部材と、前記起歪体における筒部を押圧する押圧部材と、前記起歪体における歪抵抗素子からの出力信号を処理する処理回路を設けたケースとを備え、前記押圧部材を起歪体の長手方向に移動させることにより起歪体における連接部から筒部に対してモーメント力が作用するように構成したもので、この構成によれば、起歪体における筒部を押圧する押圧部材を起歪体の長手方向に移動させることにより起歪体における連接部から筒部に対してモーメント力が作用するように構成しているため、起歪体における筒部の外表面は変形しやすくなり、これにより、起歪体に設けた歪抵抗素子の抵抗値も変化しやすくなるため、重量センサから発生する出力信号の感度を大きくすることができるという作用効果を有するものである。
【発明の効果】
【００１２】
以上のように本発明の重量センサは、外表面に歪抵抗素子とこの歪抵抗素子と回路パターンにより電気的に接続された電極とを設けた筒部とこの筒部の内側面から内方に向かって設けた連接部と被挟持部とからなる固定部とを設けた起歪体と、この起歪体における被挟持部を挟持して固定する固定部材と、前記起歪体における筒部を押圧する押圧部材と、前記起歪体における歪抵抗素子からの出力信号を処理する処理回路を設けたケースとを備え、前記押圧部材を起歪体の長手方向に移動させることにより起歪体における連接部から筒部に対してモーメント力が作用するように構成しているため、起歪体における筒部の外表面は変形しやすくなり、これにより、起歪体に設けた歪抵抗素子の抵抗値も変化しやすくなるため、重量センサから発生する出力信号の感度を大きくすることができるという優れた効果を奏するものである。
【発明を実施するための最良の形態】
【００１３】
以下、本発明の一実施の形態における重量センサについて、図面を参照しながら説明する。
【００１４】
図１は本発明の一実施の形態における重量センサの側断面図、図２は同重量センサの側面図、図３は同重量センサにおける起歪体の展開図、図４は同重量センサにおける処理回路の回路図である。
【００１５】
図１〜図４において、１１はフェライト系ステンレスにより円筒形状に構成された起歪体で、この起歪体１１は筒部１１ａが鉛直方向に設置されるとともに、この筒部１１ａの外側面にＡｇからなる第１の電源電極１２、第２の電源電極１３、第１の出力電極１４、第２の出力電極１５およびＧＮＤ電極１６を互いに近傍に位置するように設けている。また、前記起歪体１１における筒部１１ａの下側の外側面には、一対の第１の下側歪抵抗素子１７を直列に設けており、そして、この第１の下側歪抵抗素子１７は、一端を回路パターン１８により前記第１の電源電極１２と電気的に接続し、かつ他端を第１の出力電極１４と接続している。そしてまた、前記起歪体１１における筒部１１ａの下側の外側面には、一対の第１の下側歪抵抗素子１７の間に位置して一対の第２の下側歪抵抗素子１９を設けており、そして、この第２の下側歪抵抗素子１９は、一端を回路パターン１８により前記第２の電源電極１３と電気的に接続し、かつ他端をＧＮＤ電極１６と電気的に接続している。さらに、前記起歪体１１における筒部１１ａの上側の外側面には、前記一対の第１の下側歪抵抗素子１７の上側に位置して、一対の第１の上側歪抵抗素子２０を直列に設けている。そして、この第１の上側歪抵抗素子２０は、一端を回路パターン１８により前記第１の下側歪抵抗素子１７および第１の出力電極１４に電気的に接続し、かつ他端をＧＮＤ電極１６と接続している。さらにまた、前記起歪体１１における筒部１１ａの上側の外側面には、前記一対の第１の上側歪抵抗素子２０の間に位置して、一対の第２の上側歪抵抗素子２１を設けており、そして、この第２の上側歪抵抗素子２１は、一端を回路パターン１８により前記第２の下側歪抵抗素子１９および第２の出力電極１５と電気的に接続し、かつ他端を第２の電源電極１３と電気的に接続することによりブリッジ回路を構成している。また、前記円筒形状の起歪体１１には筒部１１ａから内側に連接される連接部２２を設けており、さらにこの連接部２２の先端には、連接部２２より幅厚の被挟持部２３を設け、そしてこの被挟持部２３と前記連接部２２とで固定部２４を構成している。
【００１６】
２５は金属製の下側押圧部で、この下側押圧部２５は前記起歪体１１における筒部１１ａの下端をシートゴムからなる弾性体２６を介して支持するとともに、孔２７を有している。２８は金属製の上側押圧部で、この上側押圧部２８は前記起歪体１１における筒部１１ａの上端を支持するとともに、孔３０およびかしめ孔３１（図示せず）を有している。そして、前記下側押圧部２５と上側押圧部２８とで押圧部材３２を構成している。３３は樹脂製のケースで、このケース３３はかしめ部３４（図示せず）を有しており、このかしめ部３４（図示せず）を上側押圧部２８におけるかしめ孔３１（図示せず）に挿入するとともに、先端をかしめることにより、ケース３３に押圧部材３２を固定している。また、前記ケース３３にはポリイミド製の回路基板３５を設けており、そして、この回路基板３５は前記起歪体１１における第１の電源電極１２、第２の電源電極１３、第１の出力電極１４、第２の出力電極１５、およびＧＮＤ電極１６と電気的に接続しているものである。さらに、前記回路基板３５にはＩＣからなる処理回路３６を設けており、そして、この処理回路３６により、起歪体１１における第１の下側歪抵抗素子１７、第２の下側歪抵抗素子１９、第１の上側歪抵抗素子２０、第２の上側歪抵抗素子２１および回路パターン１８から構成されるブリッジ回路の出力信号を処理しているものである。また、前記ケース３３にはコネクタ端子３７を有するコネクタ部３８を設けており、そして、このコネクタ端子３７は前記回路基板３５に電気的に接続するとともに、出力信号を外部に出力しているものである。
【００１７】
以上のように構成された本発明の一実施の形態における重量センサにおいて、次に、その組立方法について説明する。
【００１８】
まず、ステンレス板（図示せず）の上面にガラスペースト（図示せず）を印刷した後、約８５０℃で約１０分間焼成して起歪体１１を形成する。
【００１９】
次に、前記起歪体１１における筒部１１ａの外側面に位置して銀のペースト（図示せず）を印刷し、約８５０℃で約１０分間焼成することにより、前記起歪体１１における筒部１１ａの外側面に第１の電源電極１２、第２の電源電極１３、第１の出力電極１４、第２の出力電極１５、ＧＮＤ電極１６および回路パターン１８を形成する。
【００２０】
次に、前記起歪体１１における筒部１１ａの外側面にメタルグレーズ系ペースト（図示せず）を印刷した後、約１３０℃で約１０分間乾燥し、その後、前記起歪体１１を約８５０℃で約１０分間焼成することにより、第１の下側歪抵抗素子１７、第２の下側歪抵抗素子１９、第１の上側歪抵抗素子２０および第２の上側歪抵抗素子２１を形成する。
【００２１】
次に、下側押圧部２５の上面に弾性体２６を接着した後、この弾性体２６の上面に起歪体１１における筒部１１ａを載置する。
【００２２】
最後に、前記起歪体１１における筒部１１ａの上面に上側押圧部２８を接着すると同時に、下側押圧部２５の上面に上側押圧部２８を接着する。
【００２３】
以上のようにして構成され、かつ組み立てられた本発明の一実施の形態における重量センサについて、次に、その動作を説明する。
【００２４】
図５に示すように、予め、ボルト３９を立設した支持板４０の上面に、前記ボルト３９の外周に位置して、第１のカラー４１を載置する。そして、この第１のカラー４１の上面に被挟持部２３の下面が当接するように載置した後、被挟持部２３の上面に第２のカラー４２を載置する。その後、ボルト３９にナット４３を締結することにより、第１のカラー４１と第２のカラー４２とで被挟持部２３を挟持するもので、すなわち、ボルト３９、支持板４０、第１のカラー４１、第２のカラー４２およびナット４３で固定部材４４を構成しているものである。
【００２５】
そして、この組立初期の状態においては、図６、図７に示すように、起歪体１１における筒部１１ａに押圧部材３２が当接するが、荷重は零の状態となっている。
【００２６】
そして、押圧部材３２に上方から下方に向かって荷重が付加されると、起歪体１１における連接部２２に、図８に示すようにせん断荷重が加わる。そして、このせん断荷重によって、連接部２２に連接した円筒形状の起歪体１１における筒部１１ａの外側面には、図９に示すようにモーメント力が作用し、これにより、起歪体１１の上端の径は大きくなり、かつ上側の外側面は引っ張られる。
【００２７】
したがって、起歪体１１の外側面に設けられた一対の第１の上側歪抵抗素子２０および一対の第２の上側歪抵抗素子２１の抵抗値は大きくなるとともに、一対の第１の下側歪抵抗素子１７および一対の第２の下側歪抵抗素子１９の抵抗値は小さくなる。
【００２８】
上記したように本発明の一実施の形態においては、押圧部材３２を起歪体１１の長手方向に移動させることにより起歪体１１における連接部２２から筒部１１ａに対してモーメント力が作用するように構成しているため、起歪体１１における筒部１１ａの外表面は変形しやすくなり、これにより、起歪体１１に設けた第１の下側歪抵抗素子１７、第２の下側歪抵抗素子１９、第１の上側歪抵抗素子２０および第２の上側歪抵抗素子２１の抵抗値も変化しやすくなるため、重量センサから発生する出力信号の感度を大きくすることができるという効果が得られるものである。
【００２９】
また、第１の電源電極１２および第２の電源電極１３に５Ｖを印加するとともに、ＧＮＤ電極１６を接地して、第１の出力電極１４と第２の出力電極１５との差動電圧を処理回路３６で信号処理することにより、起歪体１１に加わる荷重を測定することができるものである。
【産業上の利用可能性】
【００３０】
本発明に係る重量センサは、歪抵抗素子の抵抗値が変化しやすく、重量センサから発生する出力信号の感度を大きくすることができるという効果を有するものであり、特に、車両用シート等の荷重を測定するための重量センサ等において有用となるものである。
【図面の簡単な説明】
【００３１】
【図１】本発明の一実施の形態における重量センサの側断面図
【図２】同重量センサの側面図
【図３】同重量センサにおける起歪体の展開図
【図４】同重量センサにおける処理回路の回路図
【図５】同重量センサを固定部材に固定した状態を示す側断面図
【図６】同重量センサの起歪体における筒部に押圧部材が当接するとともに荷重が零の状態を示す側断面図
【図７】同重量センサの起歪体における筒部に押圧部材が当接するとともに荷重が零の状態を示す側面図
【図８】同重量センサの起歪体における筒部に押圧部材から荷重が負荷された状態を示す側断面図
【図９】同重量センサの起歪体における筒部に押圧部材から荷重が負荷された状態を示す側面図
【図１０】従来の重量センサの斜視図
【図１１】同重量センサにおける起歪体の展開図
【図１２】同重量センサの回路図
【図１３】従来の重量センサを相手側取付部材に取り付けた状態を示す側断面図
【符号の説明】
【００３２】
１１  起歪体
１１ａ  筒部
１２  第１の電源電極
１３  第２の電源電極
１４  第１の出力電極
１５  第２の出力電極
１６  ＧＮＤ電極
１７  第１の下側歪抵抗素子
１８  回路パターン
１９  第２の下側歪抵抗素子
２０  第１の上側歪抵抗素子
２１  第２の上側歪抵抗素子
２２  連接部
２３  被挟持部
２４  固定部
３２  押圧部材
３３  ケース
３６  処理回路
【図１】
2010091453.tif 000003
【図２】
2010091453.tif 000004
【図３】
2010091453.tif 000005
【図４】
2010091453.tif 000006
【図５】
2010091453.tif 000007
【図６】
2010091453.tif 000008
【図７】
2010091453.tif 000009
【図８】
2010091453.tif 000010
【図９】
2010091453.tif 000011
【図１０】
2010091453.tif 000012
【図１１】
2010091453.tif 000013
【図１２】
2010091453.tif 000014
【図１３】
2010091453.tif 000015